(57)【要約】      （修正有）【課題】棚の前後、上下、左右方向を保って移動搬送を行ない、物品を収納保管する棚を提供する。【解決手段】物品を収納保管する棚において、棚１の前後、上下、左右方向を保つ軸として２本の軸３、４を一定間隔をおいて棚に並べて設け、軸を伝導装置であるローラーチェイン５、６の一部にとりつけ、伝導装置を手動、または、電動機によって駆動し、棚の前後、上下、左右方向を保って棚が移動し、したがって、棚に積載した物品の上下、前後、左右方向を保って移動する棚とする。【選択図】図１
0003216712.tif 000002
【実用新案登録請求の範囲】
【請求項１】
物品を収納保管する棚、または、箱（以後、物品を収納保管する棚、または、箱を棚と記す）において、棚に設けた軸受けに棚の前後、上下、左右方向を保つ軸として２本の軸を設け、軸受けと軸の間は回転可能な構造にさいし、棚の底面部に２本の軸を一定間隔をおいて並べて設ける構造をＡ構造とし、また、棚の上面部に２本の軸を一定間隔をおいて並ベて設ける構造をＢ構造とし、また、棚の前面部に１本の軸と棚の後面部に１本の軸を設ける構造をＣ構造とし、また、棚の底面部に１本の軸と棚の上面部に１本の軸を設ける構造をＤ構造として、各構造において、１本の軸を棚の左側面から外に延長して左側伝導装置の一部にとりつけ、他の１本の軸を棚の右側面から外に延長して右側伝導装置の一部に取り付け、伝導装置を手動、または、電動機により駆動を行なうことにより、棚の前後、上下、左右方向を保ち移動搬送が可能なことを特徴とする物品を収納保管する棚。
【考案の詳細な説明】
【技術分野】
【０００１】  本考案は、主として室内、または、建物内、および、物品を多く取り扱う諸施設における物品を収納する棚、または、箱（以後、物品を収納する棚、または、箱を棚と記す）の前後、上下、左右の方向を保ち移動搬送が可能な棚に関する。
【背景技術】
【０００２】  従来、通常の物品収納体は定置方式が主である。本棚、本箱、箪笥の引き出し、食器棚等、定位置に置いているものが多く、即刻、簡便、に移動搬送を目的としているものは少ない。
【考案の概要】
【考案が解決しようとする課題】
【０００３】  本考案は物品収納保管と移動、搬送、物品取扱いの利便性を図り、商店において、商品購入者の手元に商品を提示し、商店、事務事業場、家庭において、各室内上部空間利用をすすめ床面の有効利用を図る。なお、高齢化、体力の減少、歩行難、障害者にこたえる。なお、地震時、また、水害、津波対策として、物品を高所に保管することを可能にする。
【課題を解決するための手段】
【０００４】  物品を収納保管する棚、または、箱（以後、物品を収納保管する棚、または、箱を棚と記す）において、棚に設けた軸受けに棚の前後、上下、左右方向を保つ軸として２本の軸を設け、軸受けと軸の間は回転可能な構造にさいし、棚の底面部に２本の軸を一定間隔をおいて並べて設ける構造をＡ構造とし、また、棚の上面部に２本の軸を一定間隔をおいて並べて設ける構造をＢ構造とし、また、棚の前面部に１本の軸と棚の後面部に１本の軸を設ける構造をＣ構造とし、また、棚の底面部に１本の軸と棚の上面部に１本の軸を設ける構造をＤ構造として、各構造において、１本の軸を棚の左側面から外に延長して左側伝導装置の一部にとりつけ、他の１本の軸を棚の右側面から外に延長して右側伝導装置の一部に取り付け、伝導装置を手動、または、電動機により駆動を行なうことにより、棚の前後、上下、左右方向を保ち移動搬送が可能なことを特徴とする。一般に動力伝導にもちいられている伝道装置、ローラーチェイン、伝道ベルト、ワイヤーロープを棚の搬送に利用することが可能である。それらの代表として、以後、ローラーチェインを利用する場合について記し示す。
【考案の効果】
【０００５】本、棚利用による効果は多岐にわたる。その代表と考えられる事項を以下に記す。その第１番にあげたい事項。水害、津波対策として高所に物品を保管収納、平時にはもとに置く。その２、商店において、商品を商品購入者の手元に商品を提示する。このさい、障碍者への便利を図ることができる。その３、特に官公署における書籍書類の利用の便利化と資料収納保管。その４、企業事務所、物品製造場における書籍書類の利用の便利化と資料収納保管。その５、物品の加熱乾燥。その６、書店、商店、工場、事務所、住宅において、室内上部空間有効利用、上下階層間の物品の搬送。その７、病院におけるカルテの収納保管取り扱い。多層ビル各階層での必要書籍書類の選び出し入れ利用を容易にする。その８、大型の装置では車の立体駐車装置、または、円形搬送装置も可能で観覧車。以上、多岐にわたる。
【図面の簡単な説明】
【０００６】  図面の簡単な説明を行うにあたり、伝導装置による棚の移行搬送において、縦上下移行搬送、横左右移行搬送、円形移行搬送、斜め移行搬送の代表として縦上下移行搬送を示して説明する。
【図１】Ａ構造、棚の底面部に、棚保持軸を設けた図である。
【図２】Ｂ構造、棚の上面部に、棚保持軸を設けた図である。
【図３】Ｃ構造、棚の前後面部に、棚保持軸を設けた図である。
【図４】Ａ構造、Ｂ構造、Ｃ構造におけるローラーチェインスプロケットの配置図である。
【図５】Ｄ構造、棚の上下面部に、棚保持軸を設けた図である
【図６】Ｄ構造におけるローラーチェインスプロケットの配置図である。
【考案を実施するための形態】
【０００７】  以下、本装置の実施の形態を図１から図４に示して説明する。このさい、上下方向移行搬送を例とする。
【実施例】
【０００８】  このさい、図１、図２、図３、図５を代表して、図１について記す。１の棚の下面部の軸受け２に軸３と軸４を通し、軸３をローラーチェイン５に取り付け、軸４をローラーチェイン６に取り付ける。このさい、軸３と軸４は一定間隔を保つ、したがってローラーチェイン５とローラーチェイン６も一定間隔、左右に開く・偏芯する。このさい、軸受け２と軸３、および、軸４のあいだにおいて回転可能とする。また、軸３はローラーチイン５に取り付け、軸４はローラーチェイン６に取り付ける。本構造により、棚の上下前後左右方向が常に保たれる。ローラーチェイン５とローラーチェイン６を手動、または、電動機により駆動する。
【符号の説明】
【０００９】１  棚
２  軸受け
３  軸３
４  軸４
５  左側ローラーチェイン
６  右側ローラーチェイン
７  左側ローラーチェイン用スプロケット
８  右側ローラーチェイン用スプロケット
Ｘ  両ローラーチェインスプロケットの偏芯長さ、および、２本の軸の間隔
【図１】
0003216712.tif 000003
【図２】
0003216712.tif 000004
【図３】
0003216712.tif 000005
【図４】
0003216712.tif 000006
【図５】
0003216712.tif 000007
【図６】
0003216712.tif 000008
【手続補正書】
【提出日】平成30年3月13日(2018.3.13)
【手続補正１】
【補正対象書類名】実用新案登録請求の範囲
【補正対象項目名】全文
【補正方法】変更
【補正の内容】
【実用新案登録請求の範囲】
【請求項１】
物品を保管する棚、または、箱（以後、物品を保管する棚、または、箱を棚と記す）において、棚に設けた軸受けに棚の前後、上下、左右方向を保つ軸として２本の軸を設け、軸受けと軸の間は回転が可能な構造にさいし、棚の底面部に２本の軸を一定間隔をおいて並べて設ける構造をＡ構造とし、また、棚の上面部に２本の軸を一定間隔をおいて並べて設ける構造をＢ構造とし、また、棚の前面部に１本の軸と棚の後面部に１本の軸を設ける構造をＣ構造とし、また、棚の底面部に１本の軸と棚の上面部に１本の軸を設ける構造をＤ構造として、各構造において、１本の軸を棚の左側面から外に延長して左側伝導装置の一部に取り付け、他の１本の軸を棚の右側面から外に延長して右側伝導装置の一部に取り付け，両伝導装置は、ローラーチェイン、伝導ベルト、または、ワイヤーロープであり、伝導装置を手動、または、電動機により駆動をおこなうことにより、棚の前後、上下、左右方向を保ち移動搬送が可能なことを特徴とする物品を収納保管する棚。
【手続補正２】
【補正対象書類名】明細書
【補正対象項目名】０００４
【補正方法】変更
【補正の内容】
【０００４】  物品を保管する棚、または、箱（以後、物品を保管する棚、または、箱を棚と記す）において、棚に設けた軸受けに棚の前後、上下、左右方向を保つ軸として２本の軸を設け、軸受けと軸の間は回転が可能な構造にさいし、棚の底面部に２本の軸を一定間隔をおいて並べて設ける構造をＡ構造とし、また、棚の上面部に２本の軸を一定間隔をおいて並べて設ける構造をＢ構造とし、また、棚の前面部に１本の軸と棚の後面部に１本の軸を設ける構造をＣ構造とし、また、棚の底面部に１本の軸と棚の上面部に１本の軸を設ける構造をＤ構造として、各構造において、１本の軸を棚の左側面から外に延長して左側伝導装置の一部に取り付け、他の１本の軸を棚の右側面から外に延長して右側伝導装置の一部に取り付け，両伝導装置は、ローラーチェイン、伝導ベルト、または、ワイヤーロープを用い、伝導装置を手動、または、電動機により駆動をおこなうことにより、棚の前後、上下、左右方向を保ち移動搬送が可能なことを特徴とする物品を収納保管する棚。以後、ローラーチェインを用いる場合について記す。